(57)【特許請求の範囲】
【請求項１】
回転する複数の円盤状磁気記録媒体と前記記録媒体に対向する複数の磁気ヘッドを用いてデータを磁気記録再生する磁気ディスク装置において、
前記磁気ヘッドは前記記録媒体を間挿する櫛型形状を有するキャリッジの先端に設けられ、
前記磁気ヘッドからの再生信号を処理する回路、前記磁気ヘッドへの記録信号を伝送する回路、前記磁気ヘッドの状態を制御する回路、を備えた記録再生回路を設け、
前記記録再生回路は上位制御回路に接続させて制御され、
前記上位制御回路と前記記録再生回路とを接続する前記キャリッジの櫛型形状部分における信号線の内、磁気ヘッドからの再生信号と磁気ヘッドへの記録信号と磁気ヘッドまたは記録再生回路への制御信号の伝送は、同一の信号線を用いて行う
ことを特徴とする磁気ディスク装置。
【請求項２】
回転する複数の円盤状磁気記録媒体と前記記録媒体に対向する複数の磁気ヘッドを用いてデータを磁気記録再生する磁気ディスク装置において、
前記磁気ヘッドは前記記録媒体を間挿する櫛型形状を有するキャリッジの先端に設けられ、
前記磁気ヘッドからの再生信号を処理する回路、前記磁気ヘッドへの記録信号を伝送する回路、前記磁気ヘッドの状態を制御する回路、を備えた記録再生回路を設け、
前記記録再生回路は上位制御回路に接続させて制御され、
前記上位制御回路と前記記録再生回路とを接続する前記キャリッジの櫛型形状部分における信号線は、電源およびグランドを与える結線を除いて、その信号線数が４本であり、
第１の信号線は、再生信号（＋）、記録信号（＋）、磁気記録の記録動作／再生動作の切り替え信号として用い、第２の信号線は、再生信号（−）、記録信号（−）、電気的記憶回路の記憶または読み出しのイネーブル信号として用い、第３の信号線は、電気的記憶回路のデータ信号（レジスタへの指令信号）、磁気記録の記録動作の異常通知信号として用い、第４の信号線は、電気的記憶回路のクロック信号（クロック信号の専用線）として用いる
ことを特徴とする磁気ディスク装置。
【請求項３】
請求項１または２に記載の磁気ディスク装置において、
前記記録再生回路は、磁気ヘッドの状態を制御するための信号を生成する電気的記憶回路を備えていることを特徴とする磁気ディスク装置。
【請求項４】
請求項１、２または３に記載の磁気ディスク装置において、
前記記録再生回路は、前記磁気ヘッドに近い前記キャリッジ櫛型形状部分に設置されることを特徴とする磁気ディスク装置。
【発明の詳細な説明】
【０００１】
【発明の属する技術分野】
本発明は、回転する円盤状の磁気記録媒体を用いて磁気記録再生を行う装置における、磁気ヘッドと記録再生回路とその上位制御回路とを電気的に接続する方式及び記録再生回路の実装形態に関する。
【０００２】
【従来の技術】
磁気ディスク装置において、ほぼ一定間隔で並べられた円盤状の複数の磁気記録媒体の表面上を複数の磁気ヘッドが同時に移動するために、磁気ヘッドは、ヘッドスタックアセンブリまたはキャリッジと呼ばれる櫛型の回転移動体または平行移動体（以下、キャリッジと称する）の先端に実装される。この磁気ヘッドから再生された電気信号及び記録のために磁気ヘッドに送る電気信号は、キャリッジの表面付近に実装（布線）された信号線によって、磁気ヘッドから再生される電気信号の増幅を行なう回路、及び記録する電気信号を磁気ヘッドに伝達する回路、及び複数の磁気ヘッドの状態を制御する回路（以下、この３回路を記録再生回路と称する）にそれぞれ接続される。
【０００３】
与えられた磁気ディスク装置の高さ内に、いかに多数の円盤状の磁気記録媒体とヘッドを詰め込むかによって磁気ディスク装置の記憶容量の大半が左右されるため、キャリッジの櫛の部分の厚みは薄くなっており、このキャリッジの櫛の側面に多数の信号線を布線するのは容易ではないため、例えば、特開平７−２４４８０２号公報に見られるように、信号線の数を減らす工夫がなされている。
【０００４】
図２は従来の構成での実装の例を示す。磁気ヘッド１は、キャリッジ２の櫛部（図２において、キャリッジ２の内で記録再生回路５の搭載された箇所を除いた部分であって、櫛形状のもの）の先に取り付けられたサスペンション３の先端に、最上端及び最下端の櫛部には１個ずつ、それ以外は上下２個ずつ実装されている。記録再生回路５はキャリッジ２の側面にＩＣの形態で実装されている。
【０００５】
ここで、最上端及び最下端の櫛部を除くと、キャリッジ２の櫛部の側面部の表面には上下２個ずつの磁気ヘッドと接続される各４本で（後述するが、差動信号を用いるとすると、再生信号用の信号線が２本、記録信号用の信号線が２本）合計８本の信号線がパターン化されたＦＰＣ４を用いて実装されている。記録再生回路５と上位制御回路との信号線はＦＰＣ６を経由して接続されており、コネクタ７により接続される回路基板上に上位制御回路は実装されている。
【０００６】
ここで、ＦＰＣ６を通る信号線は、その詳細は後述するが、結果的に、再生信号（２本）、記録信号（２本）、再生ヘッドに流す電流量の制御信号（１本）、記録ヘッドに流す電流量の制御信号（１本）、磁気記録の記録動作の異常状態を上位制御回路に知らせる信号（１本）、複数のヘッドの内の一つを選ぶ選択制御信号（図２で１０個の磁気ヘッドがあるので２進数表示で４本）、記録を行うか再生を行うかを選択する信号（１本）、および記録再生回路そのものを動かすための電源ＶＣＣ（１本）、ＶＥＥ（１本）、グランド（１本）の合計１５本となる。但し、ＦＰＣ６はほぼキャリッジ２の高さ分の幅が使えるのでこの信号線を通すのは容易である。
【０００７】
【発明が解決しようとする課題】
磁気記録再生の転送速度を上げるためには、磁気ヘッドの周波数特性、記録再生回路の周波数特性を向上させるのは当然必要であるが、磁気ヘッドと記録再生回路を結ぶ信号線のインピーダンスによる周波数特性の低下も無視できない。そのため高速な転送速度を実現するには、記録再生回路をできる限り磁気ヘッドの近くに実装する必要がある。
【０００８】
一方、高速な位置決め制御を行う観点から、キャリッジの重量はできる限り軽量化する必要がある。そのため、現在の磁気ディスク装置はそれぞれの設計の重点の置き所により、高速な位置決めをより重視する場合は記録再生回路をキャリッジの後方の可動しない部位に実装し、高速な転送速度を重視する場合は記録再生回路をキャリッジの中央部に実装している。
【０００９】
キャリッジの後方の可動しない部位（例えば、固定されているコネクタの近傍箇所）に実装した場合、及びキャリッジの中央部に実装している場合は、記録再生回路は複数の磁気ヘッドに対応する回路を一つの集積回路上に構成することが可能である。
【００１０】
記録再生回路から各磁気ヘッドに対しては再生信号を伝達する信号線、及び記録信号を伝達する信号線を接続すれば良い。それぞれを差動（平衡型）信号にすれば合計４本の信号線となる。それぞれを不平衡型信号にすれば合計２本ないしは共通電位を示す信号を含めた３本の信号線となる。あるいはこの再生信号と記録信号との両方の信号を兼用することも可能である。以下の説明では実用的な差動（平衡型）信号の場合を例示して述べる。
【００１１】
一方、記録再生回路の他方側である上位制御回路との信号接続は、最低でも、以下に記述する多数の信号が必要である。すなわち、再生信号（２本）、記録信号（２本）、再生ヘッドに流す電流量の制御信号（１本）、記録ヘッドに流す電流量の制御信号（１本）、磁気記録の記録動作の異常状態を上位制御回路に知らせる信号（１本）、複数のヘッドの内の一つを選ぶ選択制御信号（通常これは２進数で表わすので、例えば８個の磁気ヘッドが接続される回路ならば３本）、記録を行うか再生を行うかを選択する信号（１本）、及び記録再生回路そのものを動かすための電源供給（電源数によるが１又は２本）及びグランド（共通電位）（１本）が必要である。その合計は８個のヘッドを制御して１電源で動作する場合は１３本となる。
【００１２】
また、その記録再生回路がレジスタなどによる電気的記憶回路（磁気ヘッドの選択、ＭＲヘッドのセンス電流調整等に用いられる回路）を保有する場合は、その記憶及び読み出しのためのデータ信号、クロック信号、記憶又は読み出しを可能にする信号などが必要となる。
【００１３】
ところが、２００Ｍｂｐｓを超えるようなさらに高速な転送速度を実現するには、記録再生回路をさらに磁気ヘッドに近い部分に実装しなければならない。そうするとキャリッジの中央部から磁気ヘッドの近傍であるキャリッジの先端の部分に実装位置を移動しなければならないので、少なくともキャリッジの櫛の数だけ記録再生回路が必要となり（例えば、櫛当たり２個のヘッドが設置されている場合に、ヘッド毎に１個の記録再生回路を設けるとすると、櫛毎に２個の記録再生回路が必要となり）一箇所に集約することができない。
【００１４】
ここで問題となるのは、キャリッジの櫛の部分に通さなければならない信号線の数である。現状の構成では、すでに説明した様に、キャリッジの櫛の部分は磁気ヘッドと記録再生回路との間の信号が通るので、合計２本、３本または４本（差動信号を用いる場合に４本であることは前述したとおり）である。一つの櫛の上下に合計２個の磁気ヘッドが実装されている場合では、その２倍の数となり、最大で８本である。記録再生回路をキャリッジの先端の部分に実装した場合は、キャリッジの櫛の部分は記録再生回路とその上位制御回路との信号線が通るので、すでに説明した通り、例えば１３本の信号線を通さなければならない。
【００１５】
また、磁気ディスク装置は装置全体の記憶容量を多くし、かつ装置全体の高さを薄くしなければならない制約があるために、円盤状の記憶媒体の間隔が非常に小さくなっている。現状の磁気ディスク装置は記憶媒体の間隔が２ｍｍ以下で、キャリッジの櫛の部分の厚さは１ｍｍ以下のものが主流となっている。
【００１６】
この１ｍｍ以下のキャリッジの櫛の部分に、例えば１３本の電気信号線を通すには非常に細い線材を必要数用いて、一方を磁気ヘッドに接続し他方を上位制御回路に接続することが求められ、また、ＦＰＣと呼ばれるプリント化された配線の多層型配線などを使用せざるを得ないため、それらの部品自体のコストが高くなることや、配線両端の接続作業において接続数が多いことにより生産性が低下することや、接続部分の端子の面積が接続数が多いため大きくなり、キャリッジ全体を小さく軽くすることが出来ない等の問題がある。
【００１７】
【課題を解決するための手段】
前記課題を解決するために、本発明は主として次のような構成を採用する。
【００１８】
回転する複数の円盤状磁気記録媒体と前記記録媒体に対向する複数の磁気ヘッドを用いてデータを磁気記録再生する磁気ディスク装置において、
前記磁気ヘッドは前記記録媒体を間挿する櫛型形状を有するキャリッジの先端に設けられ、
前記磁気ヘッドからの再生信号を処理する回路、前記磁気ヘッドへの記録信号を伝送する回路、前記磁気ヘッドの状態を制御する回路、を備えた記録再生回路を設け、
前記記録再生回路は上位制御回路に接続させて制御され、
前記上位制御回路と前記記録再生回路とを接続する前記キャリッジの櫛型形状部分における信号線の内、磁気ヘッドからの再生信号と磁気ヘッドへの記録信号と磁気ヘッドまたは記録再生回路への制御信号の伝送は、同一の信号線を用いて行う磁気ディスク装置。
【００１９】
また、回転する複数の円盤状磁気記録媒体と前記記録媒体に対向する複数の磁気ヘッドを用いてデータを磁気記録再生する磁気ディスク装置において、
前記磁気ヘッドは前記記録媒体を間挿する櫛型形状を有するキャリッジの先端に設けられ、
前記磁気ヘッドからの再生信号を処理する回路、前記磁気ヘッドへの記録信号を伝送する回路、前記磁気ヘッドの状態を制御する回路、を備えた記録再生回路を設け、
前記記録再生回路は上位制御回路に接続させて制御され、
前記上位制御回路と前記記録再生回路とを接続する前記キャリッジの櫛型形状部分における信号線は、電源およびグランドを与える結線を除いて、その信号線数が４本であり、
第１の信号線は、再生信号（＋）、記録信号（＋）、磁気記録の記録動作／再生動作の切り替え信号として用い、第２の信号線は、再生信号（−）、記録信号（−）、電気的記憶回路の記憶または読み出しのイネーブル信号として用い、第３の信号線は、電気的記憶回路のデータ信号（レジスタへの指令信号）、磁気記録の記録動作の異常通知信号として用い、第４の信号線は、電気的記憶回路のクロック信号（クロック信号の専用線）として用いる磁気ディスク装置。
【００２０】
【発明の実施の形態】
本発明の実施形態について、図１〜図５を用いて以下説明する。図１は本発明の実施形態に係るキャリッジ上の記録再生回路の実装の例を示す。図３は記録再生回路と上位制御装置との間における信号線Ａと信号線Ｂの信号態様における動作モードの設定を示す。図４は信号線Ａ，Ｂ，Ｃ，Ｄにおける各動作モードでの信号形態を示す。図５は再生信号と記録信号と電気的記憶回路のデータ信号との切り替えを実現する回路構成を示す。
【００２１】
この際、１は磁気ヘッド、２はキャリッジ、３はサスペンション、４はＦＰＣ、５は記録再生回路、６はＦＰＣ、７はコネクタ、８は信号線Ａ、９は信号線Ｂ、１０は信号線Ｃ、１１は信号線Ｄ、１２はクランプ回路、１３はエミッタフォロア、１４は再生アンプ、１５は記録アンプ、１６はバイアス電位、１７はコンパレータ、１８はコンパレータ、１９はインバータ、２０はインバータ、２１はアンド回路、２２はレジスタ記憶／読み出しイネーブル信号、２３は再生用磁気ヘッド、２４は記録用磁気ヘッド、をそれぞれ表す。
【００２２】
ここにおいて、記録再生回路と上位制御回路との間で必要とされる信号線の数について検討するに、まず、再生動作を行っている間は記録動作は行われないので、再生信号線が信号を伝達している間は記録信号線は何も信号を伝達していない。よって、再生信号線と記録信号線を同一の信号線で兼用させても、切り替えに多少の時間かかかることを除けば不都合は生じない。
【００２３】
次に、記録再生回路内部に有るレジスタなどの電気的記憶回路（磁気ヘッドの選択、ＭＲヘッドのセンス電流調整等に用いられる回路）への記憶または読み出し動作は、磁気記録信号の再生動作及び磁気記録信号の記録動作のいずれも動作していない間に限定して行うことにすれば記録信号線または再生信号線と兼用が可能であり、あるいは再生動作中であればこの期間の再生信号に重畳されるノイズと識別できて誤動作することを防止できれば、再生信号線での兼用が可能となる。
【００２４】
また、複数の磁気ヘッドの内の一つを選択する信号は、磁気記録信号の再生動作と記録動作の切り替えに比べれば高速な切り替えを必要としていないので、前記レジスタなどの電気的記憶回路に値を書き込むことにより行うことにすれば、ヘッド選択に専用の信号線は不要である。
【００２５】
同様に、再生ヘッドに流す電流量の制御信号、記録ヘッドに流す電流量の制御信号もせいぜいヘッドを切り替える時に値を切り替える程度の頻度でしか変化させる必要がないので、レジスタなどの電気的記憶回路に値を書き込むことにより行うことにすれば、それ専用の信号線は不要である。
【００２６】
ここで、レジスタなどの電気的記憶回路に値を書き込むことにより専用の信号線を不要に出来る信号としては以下のものが挙げられる。
【００２７】
・ヘッド毎に設けられた記録再生回路の中から１個の記録再生回路を選択（機能を有効にする）する信号
・複数のヘッドの内の一つのヘッドを選ぶ選択制御信号（記録再生回路を１磁気ヘッドに付き１回路にすれば、この信号は前記記録再生回路選択信号で代用可能である）
・再生ヘッドに流す電流量の制御信号
・記録ヘッドに流す電流量の制御信号
以上のような検討結果から信号線を整理すると、次の具体例１または具体例２に示すように分類し兼用させることができる。
【００２８】
具体例１
信号線Ａ：意味▲１▼：再生信号（＋）
信号線Ａ：意味▲２▼：記録信号（＋）
信号線Ａ：意味▲３▼：磁気記録の記録動作／再生動作の切り替え信号
信号線Ｂ：意味▲１▼：再生信号（−）
信号線Ｂ：意味▲２▼：記録信号（−）
信号線Ｂ：意味▲３▼：電気的記憶回路の記憶または読み出しのイネーブル信号
信号線Ｃ：意味▲１▼：電気的記憶回路のデータ信号（レジスタへの指令信号）
信号線Ｃ：意味▲２▼：磁気記録の記録動作の異常通知信号
信号線Ｄ：意味▲１▼：電気的記憶回路のクロック信号（クロック信号の専用線）。
【００２９】
具体例２
信号線Ａ：意味▲１▼：再生信号（＋）
信号線Ａ：意味▲２▼：記録信号（＋）
信号線Ａ：意味▲３▼：電気的記憶回路のデータ信号
信号線Ｂ：意味▲１▼：再生信号（−）
信号線Ｂ：意味▲２▼：記録信号（−）
信号線Ｂ：意味▲３▼：電気的記憶回路のクロック信号
信号線Ｃ：意味▲１▼：磁気記録の記録動作／再生動作の切り替え信号
信号線Ｄ：意味▲１▼：電気的記憶回路の記憶または読み出しのイネーブル信号
信号線Ｄ：意味▲２▼：磁気記録の記録動作の異常通知信号。
【００３０】
以上の説明からも分かるように、記録再生回路と上位制御回路とを結ぶ信号線は、その機能を維持しつつ究極的に最も少ない状態で、信号線Ａ，Ｂ，Ｃ，Ｄの４本である。この際、切り替えの時間を問題にする場合などはここまで兼用することはせず、当然ながら４本より多い状態の設計も可能である。
【００３１】
図１において、記録再生回路５は磁気ヘッド１の近傍にＩＣの形態で実装されている。ここで、キャリッジの櫛部の側面には記録再生回路５と上位制御回路との間の信号線８本（櫛毎に２個の再生回路が設置され且つ記録再生回路当たり４本の信号線）が走ることになり、記録再生回路の電源線及びグランド線２本または３本と合わせて、合計６本または７本の線数となる。
【００３２】
前記信号線は図２の場合（１３本）より少ないので、例えばパターン化されたＦＰＣ４などで接続可能である。上位制御回路は、図２と同様にキャリッジより後方に実装した場合に、キャリッジの回動中心軸廻りの領域（図２で記録再生回路が実装されていた部分の領域）において各記録再生回路からの同一信号は１本にまとめることができるので、ＦＰＣ６に通す信号線の数は最低６本または７本になる。また、図２における記録再生回路５が実装されていた部分に、上位制御回路を実装しても良い。
【００３３】
次に、本発明の実施形態を具体的に実現する回路構成を説明する。記録再生回路の電源供給は、正側電源（ＶＣＣ）が＋５Ｖで、負側電源（ＶＥＥ）が−３Ｖの２電源回路とする。
【００３４】
再生信号（＋）と再生信号（−）は磁気ヘッドから再生された信号を増幅して、交流的最大信号振幅が１Ｖ以下で直流的電位がグランド（０Ｖ）中心の差動型のアナログ信号とする。また、記録信号（＋）と記録信号（−）はＨレベルとＬレベルとの電位差が約１Ｖで、Ｈレベルが約ＶＣＣ−１Ｖ、Ｌレベルが約ＶＣＣ−２Ｖの擬似ＥＣＬレベルのデジタル信号とする。
【００３５】
磁気記録の記録動作／再生動作の切り替え信号と、電気的記憶回路の記憶又は読み出しのイネーブル信号と、電気的記憶回路のデータ信号と、電気的記憶回路のクロック信号と、磁気記録の記録動作の異常通知信号とは、ＨレベルとＬレベルとの電位差が２Ｖ以上で、Ｈレベルが約＋３〜＋４Ｖ、Ｌレベルが約０ＶのＴＴＬレベルまたはＣＭＯＳレベルのデジタル信号とする。
【００３６】
ここで、信号線Ａ，Ｂ，Ｃ，Ｄの信号形態に係る前記具体例１の場合を例として以下説明する。図３に示す信号の真理値表を参照して、信号線ＡがＨの時は記録動作をするモード、信号線ＡがＬで信号線ＢがＬの時は再生動作をするモード、信号線ＡがＬで信号線ＢがＨの時は電気的記憶回路の記憶または読み出しの動作をするモード、である。また、図４に示す信号線のタイムチャートを参照して、その左側は記録再生回路が記録動作をするモード、中央が再生動作をするモード、右側が電気的記憶回路の記憶または読み出しの動作をするモード、をそれぞれ示す。
【００３７】
すなわち、記録動作のモードでは信号線Ａ、信号線Ｂは＋３．５Ｖ中心で＋４Ｖの時は記録信号のＨレベル、＋３Ｖの時は記録信号のＬレベルになっている。この時、信号線Ａの意味▲３▼としては＋２Ｖ以上であるのでＨレベルであり記録動作を示す。信号線Ｂの意味▲３▼は信号線ＡがＬの時のみ意味をもつ。この時信号の方向は、信号線Ａ、信号線Ｂともに上位制御回路が出力で記録再生回路は入力である。
【００３８】
再生動作のモードでは信号線Ａ、信号線Ｂは０Ｖ中心で±０．５Ｖ以下の再生信号が重畳したレベルになっている。この時、信号線Ａの意味▲３▼としては＋２Ｖ以下であるのでＬレベルであり再生動作を示す。信号線Ｂの意味▲３▼としてはＬレベルであるので電気的記憶回路の記憶または読み出しは禁止状態を示す。この時信号の方向は、信号線Ａの直流的には上位制御回路が出力で記録再生回路は入力である。交流的には信号線Ａ、信号線Ｂともに記録再生回路が出力で上位制御回路が入力である。
【００３９】
電気的記憶回路の記憶または読み出しの動作をするモードでは信号線Ａは０Ｖ、信号線Ｂは＋２Ｖ以上である。この時、信号線Ａの意味▲３▼としては＋２Ｖ以下であるのでＬレベルであり再生動作を示す。信号線Ｂの意味▲３▼としてはＨレベルであるので電気的記憶回路の記憶または読み出しは可能な状態を示す。この時信号の方向は、信号線Ａ、信号線Ｂ、信号線Ｄは上位制御回路が出力で記録再生回路は入力である。
【００４０】
この時信号線Ｃは電気的記憶回路の記憶を行なう時は上位制御回路が出力で記録再生回路は入力であり、電気的記憶回路の読み出しを行なう時の読み出しの指定及びアドレスの指定の時は上位制御回路が出力で記録再生回路は入力で、電気的記憶回路の読み出しを行なう時の読み出したデータの時に限っては記録再生回路が出力で上位制御回路が入力である。
【００４１】
図５に示す、再生信号と記録信号と電気的記憶回路のデータ信号との切り替えの具体的回路構成を参照して、バイアス電位１６を２Ｖにしておくと、信号線Ｂが３〜４Ｖの時、コンパレータ１７の出力はＨになるため、記録アンプ１５のイネーブルがＨ（有効）になり記録アンプ１５が動作する。この時信号線Ａ、信号線Ｂの擬似ＥＣＬレベルの記録信号が記録アンプ１５により電流変換され、記録用磁気ヘッド２４を通して磁気記録媒体に記録される。また、再生アンプ１４のイネーブルはインバータ１９によりＬ（禁止）になり再生アンプ１４は動作しない。さらに再生アンプ１４の出力に付いているエミッタフォロア１３のトランジスタがオフになるため、信号線Ａ、信号線Ｂに影響を及ぼさない。
【００４２】
信号線Ａ、信号線Ｂの上位制御回路の出力をオフにするとコンパレータ１７の出力はＬになるため、記録アンプ１５のイネーブルがＬ（禁止）になり記録アンプ１５は動作しない。再生アンプ１４のイネーブルはＨ（有効）になり再生アンプ１４が動作する。この時再生用磁気ヘッド２３の信号は再生アンプ１４により増幅され信号線Ａ、信号線Ｂに再生信号が流れる。ここで再生アンプ１４及びエミッタフォロア１３の過渡応答により記録アンプ１５が誤動作しない様にクランプ回路１２で再生信号出力をクランプさせた方がより安定に動作する。
【００４３】
上位制御回路が信号線Ａを２Ｖ以上で信号線Ｂを２Ｖ以下にすると、コンパレータ１８の出力がＨでコンパレータ１７の出力がＬになり、インバータ２０により反転され、アンド回路２１によりレジスタ記憶／読み出しイネープル信号２２がＨになり、レジスタ記憶／読み出し回路が動作する。
【００４４】
以上説明したように、本発明の実施形態によれば、磁気ディスク装置の磁気ヘッド近傍の記録再生回路とその上位制御回路とで授受する信号の兼用化を実現すると共に、記録再生回路のレジスタ化による所望のヘッド動作態様を実現することにより、記録再生回路とその上位制御回路との接続すべき信号線数を削減することができる。
【００４５】
【発明の効果】
本発明によれば、記録再生回路を磁気ヘッドの極めて近傍に実装することができるため、周波数特性の低下が非常に少なくなり、高速な転送速度の実現が可能になる。
【００４６】
また、上記実装形態の場合に記録再生回路と上位制御回路との信号線の数が極めて少なくなるため、安価な接続方法（使用する材料、布線する方法、信号接続点の接続方法）で接続することが可能となる。また接続点の数が減るため生産性も向上する。
【００４７】
さらに、実装に必要な面積も減るためさらに磁気記録媒体の間隔を接近させることも可能になる。
【図面の簡単な説明】
【図１】本発明の実施形態に係るキャリッジ上の記録再生回路の実装の例を示す図である。
【図２】従来技術におけるキャリッジ上の記録再生回路の実装の例を示す図である。
【図３】記録再生回路と上位制御装置との間における信号線Ａと信号線Ｂの信号態様における動作モードの設定を示す図である。
【図４】信号線Ａ，Ｂ，Ｃ，Ｄにおける各動作モードでの信号形態を示す図である。
【図５】再生信号と記録信号と電気的記憶回路のデータ信号との切り替えを実現する回路構成を示す図である。
【符号の説明】
１  磁気ヘッド
２  キャリッジ
３  サスペンション
４  ＦＰＣ
５  記録再生回路
６  ＦＰＣ
７  コネクタ
８  信号線Ａ
９  信号線Ｂ
１０  信号線Ｃ
１１  信号線Ｄ
１２  クランプ回路
１３  エミッタフォロア
１４  再生アンプ
１５  記録アンプ
１６  バイアス電位
１７  コンパレータ
１８  コンパレータ
１９  インバータ
２０  インバータ
２１  アンド回路
２２  レジスタ記憶／読み出しイネーブル信号
２３  再生用磁気ヘッド
２４  記録用磁気ヘッド
【図１】
0004063408.tif 000002
【図２】
0004063408.tif 000003
【図３】
0004063408.tif 000004
【図４】
0004063408.tif 000005
【図５】
0004063408.tif 000006